【手続補正書】
【提出日】平成28年1月8日(2016.1.8)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、前記方法は、
ユーザ機器（ＵＥ）において、複数の無線周波（ＲＦ）処理チェーンのうちの１つまたは複数を他のネットワークに割り振ると決定すること、他のネットワーク上の呼を終了すること、または前記サービング基地局を用いて前記ＵＥのキャリアアグリゲーション能力を更新すると決定すること、のうちの少なくとも１つを特定することと、
前記特定に応答して、前記ＵＥにおいて、前記ＵＥの前記複数のＲＦ処理チェーンのうちの前記１つまたは複数を再プロビジョニングすると決定することと、
前記ＵＥにおいて、アクティブ化メッセージを生成すること、ここで、前記アクティブ化メッセージは、前記ＵＥのために構成された１つまたは複数の２次セルに関するアクティブ化要求情報を含む、と、
前記ＵＥから、前記アクティブ化メッセージをサービング基地局に送信することと、
を備える、方法。
【請求項２】
前記アクティブ化要求情報は、
前記１つまたは複数の２次セルをアクティブ化するための要求と、
前記１つまたは複数の２次セルを非アクティブ化するための要求と、
のうちの１つを含む、請求項１に記載の方法。
【請求項３】
前記特定することはさらに、
前記ＵＥに割り当てられた帯域幅を再割り振りすると少なくとも決定することを特定することを含む、請求項１に記載の方法。
【請求項４】
前記アクティブ化メッセージがメディアアクセス制御（ＭＡＣ）制御要素中に含まれる、請求項１に記載の方法。
【請求項５】
ワイヤレス通信のための方法であって、前記方法は、
基地局において、ユーザ機器（ＵＥ）からアクティブ化メッセージを受信すること、ここで、前記アクティブ化メッセージは、前記ＵＥのために構成された１つまたは複数の２次セルに関するアクティブ化要求情報を含む、と、
前記基地局によって、前記アクティブ化要求情報に応答して、前記１つまたは複数の２次セルの状態を変更することと
を備え、
前記アクティブ化メッセージは、
ＵＥにおいて、複数の無線周波（ＲＦ）処理チェーンのうちの１つまたは複数を他のネットワークに割り振ると決定すること、他のネットワーク上の呼を終了すること、または前記サービング基地局を用いて前記ＵＥのキャリアアグリゲーション能力を更新すると決定すること、のうちの少なくとも１つを特定することと、
前記特定に応答して、前記ＵＥにおいて、前記ＵＥの前記複数のＲＦ処理チェーンのうちの前記１つまたは複数を再プロビジョニングすると決定することと、
に応答して生成される、方法。
【請求項６】
前記アクティブ化要求情報は、
前記１つまたは複数の２次セルをアクティブ化するための要求と、
前記１つまたは複数の２次セルを非アクティブ化するための要求と、
のうちの１つを含む、請求項５に記載の方法。
【請求項７】
ユーザ機器（ＵＥ）において、複数の無線周波（ＲＦ）処理チェーンのうちの１つまたは複数を他のネットワークに割り振ると決定すること、他のネットワーク上の呼を終了すること、または前記サービング基地局を用いて前記ＵＥのキャリアアグリゲーション能力を更新すると決定すること、のうちの少なくとも１つを特定するための手段と、
前記特定に応答して、前記ＵＥにおいて、前記複数の前記ＵＥの無線周波ＲＦ処理チェーンのうちの前記１つまたは複数を再プロビジョニングすると決定するための手段と、前記ＵＥの前記複数のＲＦ処理チェーンのうちの前記１つまたは複数
アクティブ化メッセージを生成するための手段、ここで、前記アクティブ化メッセージは、前記ＵＥのために構成された１つまたは複数の２次セルに関するアクティブ化要求情報を含む、と、
前記アクティブ化メッセージをサービング基地局に送信するための手段と、
を備える、ワイヤレス通信のための装置。
【請求項８】
前記アクティブ化要求情報は、
前記１つまたは複数の２次セルをアクティブ化するための要求と、
前記１つまたは複数の２次セルを非アクティブ化するための要求と、
のうちの１つを含む、請求項７に記載の装置。
【請求項９】
前記特定するための手段はさらに、
前記ＵＥに割り当てられた帯域幅を再割り振りすると少なくとも決定することを特定するための手段を含む、請求項７に記載の装置。
【請求項１０】
前記アクティブ化メッセージは、メディアアクセス制御（ＭＡＣ）制御要素中に含まれる、請求項７に記載の装置。
【請求項１１】
基地局において、ユーザ機器（ＵＥ）からアクティブ化メッセージを受信するための手段、ここで、前記アクティブ化メッセージは、前記ＵＥのために構成された１つまたは複数の２次セルに関するアクティブ化要求情報を含む、と、
前記アクティブ化要求情報に応答して、前記１つまたは複数の２次セルの状態を変更するための手段と、
を備え、
前記アクティブ化メッセージは、
ＵＥにおいて、複数の無線周波（ＲＦ）処理チェーンのうちの１つまたは複数を他のネットワークに割り振ると決定すること、他のネットワーク上の呼を終了すること、または前記サービング基地局を用いて前記ＵＥのキャリアアグリゲーション能力を更新すると決定すること、のうちの少なくとも１つを特定することと、
前記特定に応答して、前記ＵＥにおいて、前記ＵＥの前記複数のＲＦ処理チェーンのうちの前記１つまたは複数を再プロビジョニングすると決定することと、
に応答して生成される、ワイヤレス通信のための装置。
【請求項１２】
前記アクティブ化要求情報は、
前記１つまたは複数の２次セルをアクティブ化するための要求と、
前記１つまたは複数の２次セルを非アクティブ化するための要求と、
のうちの１つを含む、請求項１１に記載の装置。
【請求項１３】
コンピュータ上で実行されるとき、請求項１−６のうちのいずれか１項に記載のステップを実行するための命令を備える、コンピュータ可読記憶媒体。
【手続補正２】
【補正対象書類名】明細書
【補正対象項目名】００８７
【補正方法】変更
【補正の内容】
【００８７】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に、本願出願の当初の特許請求の範囲に記載された発明を付記する。
［Ｃ１］
ワイヤレス通信のための方法であって、前記方法は、
ユーザ機器（ＵＥ）において、前記ＵＥの複数の無線周波（ＲＦ）処理チェーンのうちの１つまたは複数を再プロビジョニングすると決定することと、
アクティブ化メッセージを生成すること、ここで、前記アクティブ化メッセージは、前記ＵＥのために構成された１つまたは複数の２次セルに関するアクティブ化要求情報を含む、と、
前記アクティブ化メッセージをサービング基地局に送信することと、
を備える、方法。
［Ｃ２］
前記アクティブ化要求情報は、
前記１つまたは複数の２次セルをアクティブ化するための要求と、
前記１つまたは複数の２次セルを非アクティブ化するための要求と、のうちの１つを含む、Ｃ１に記載の方法。
［Ｃ３］
再プロビジョニングすると前記決定することは、
前記複数のＲＦ処理チェーンのうちの前記１つまたは複数を他のネットワークに割り振ると決定することと、
他のネットワーク上の呼を終了することと、
前記ＵＥに割り当てられた帯域幅を再割り振りすると決定することと、
前記サービング基地局を用いてキャリアアグリゲーション能力を更新すると決定することとのうちの１つまたは複数に応答して行われる、Ｃ１に記載の方法。
［Ｃ４］
前記アクティブ化メッセージがメディアアクセス制御（ＭＡＣ）制御要素中に含まれる、Ｃ１に記載の方法。
［Ｃ５］
ワイヤレス通信のための方法であって、前記方法は、
基地局において、ユーザ機器（ＵＥ）からアクティブ化メッセージを受信すること、ここで、前記アクティブ化メッセージは、前記ＵＥのために構成された１つまたは複数の２次セルに関するアクティブ化要求情報を含む、と、
前記アクティブ化要求情報に応答して、前記１つまたは複数の２次セルの状態を変更することと
を備える、方法。
［Ｃ６］
前記アクティブ化要求情報は、
前記１つまたは複数の２次セルをアクティブ化するための要求と、
前記１つまたは複数の２次セルを非アクティブ化するための要求と、のうちの１つを含む、Ｃ５に記載の方法。
［Ｃ７］
ワイヤレス通信のための方法であって、前記方法は、
ユーザ機器（ＵＥ）において、拡張されたキャリアアグリゲーション（ＣＡ）能力報告を生成すること、ここで、前記拡張されたＣＡ能力報告は、前記ＵＥのＣＡ能力と前記ＵＥのハードウェア制限とを含む、と、
前記拡張された能力報告をサービング基地局に送信することと、
を備える、方法。
［Ｃ８］
前記ハードウェア制限は、
前記ＵＥが異なるアクセス技術の中でサポートすることができるキャリアの総数と、
特定されたキャリアについての異なるアクセス技術の間で共有される複数の無線周波（ＲＦ）処理チェーンのうちの１つまたは複数への識別子と、のうちの少なくとも１つを含む、Ｃ７に記載の方法。
［Ｃ９］
ワイヤレス通信のための方法であって、前記方法は、
第１のアクセスネットワークの基地局において、ユーザ機器（ＵＥ）から拡張されたキャリアアグリゲーション（ＣＡ）能力報告を受信すること、ここで、前記拡張されたＣＡ能力報告が前記ＵＥのＣＡ能力と前記ＵＥの１つまたは複数のハードウェア制限とを含む、と、
前記拡張されたＣＡ報告中で前記ＵＥによって報告された前記ＣＡ能力に少なくとも部分的に基づいて、前記ＵＥのための１つまたは複数の２次セルを構成することと、
前記基地局において、指示子を受信すること、ここで、前記指示子は、第２のアクセスネットワークと前記ＵＥとの間のサービス開始を示す、と、
前記第２のアクセスネットワークと前記ＵＥとの間のサービスの前記指示子に基づいて、前記１つまたは複数のハードウェア制限のトリガリングを検出することと、
検出されたトリガリングに応答して、前記１つまたは複数の２次セルを非アクティブ化することと、
を備える、方法。
［Ｃ１０］
前記指示子は、前記第１のアクセスネットワークから受信される、Ｃ９に記載の方法。
［Ｃ１１］
前記指示子は、前記第２のアクセスネットワークから受信される、Ｃ９に記載の方法。
［Ｃ１２］
前記基地局において、第２の指示子を受信すること、ここで、前記第２の指示子は、前記第２のアクセスネットワークと前記ＵＥとの間のサービス停止を示す、と、
前記第２の指示子に応答して、前記１つまたは複数の２次セルを再アクティブ化することと、をさらに含む、Ｃ９に記載の方法。
［Ｃ１３］
前記指示子は、前記第１のアクセスネットワークから受信される、Ｃ１２に記載の方法。
［Ｃ１４］
前記指示子は、前記第２のアクセスネットワークから受信される、Ｃ１２に記載の方法。
［Ｃ１５］
ワイヤレス通信のための方法であって、前記方法は、
ユーザ機器（ＵＥ）において、前記ＵＥの複数の無線周波（ＲＦ）リソースのうちの１つまたは複数を再構成すると決定すること、ここで、１つまたは複数の２次セルは、前記複数のＲＦリソースのうちの前記１つまたは複数に関連付けられて、アクティブ化される、と、
基地局に１つまたは複数の被制御値測定値を送信すること、ここで、前記１つまたは複数の被制御値測定値は、前記ＵＥのために構成された前記１つまたは複数の２次セルを変更するように前記基地局をトリガする前記ＵＥによって選択された所定の値を含む、と、
を備える、方法。
［Ｃ１６］
前記１つまたは複数の被制御値測定値は、
フォールスチャネル品質インジケータ（ＣＱＩ）値と、
０に等しいＣＱＩ値と、
フォールスランクインジケータと、
１に等しいランクインジケータと、のうちの１つを含む、Ｃ１５に記載の方法。
［Ｃ１７］
構成された前記１つまたは複数の２次セルの前記変更は、
前記１つまたは複数の２次セル上の送信を低減することと、
前記１つまたは複数の２次セルを非アクティブ化することと、
前記１つまたは複数の２次セルの多入力多出力（ＭＩＭＯ）能力を非アクティブ化することと、のうちの１つまたは複数を含む、Ｃ１５に記載の方法。
［Ｃ１８］
ワイヤレス通信のための方法であって、前記方法は、
複数の無線周波（ＲＦ）リソースのうちの１つまたは複数を使用してユーザ機器（ＵＥ）と第１のアクセスネットワークとの間の通信を開始することと、
前記ＵＥにおいて、第２のアクセスネットワーク中のキャリアアグリゲーション（ＣＡ）に関連付けられた１つまたは複数の２次セルの測定値を検出すること、ここで、前記測定値は、前記第２のアクセスネットワークによる前記１つまたは複数の２次セルのアクティブ化をトリガすることになる、と、
前記第２のアクセスネットワークへの前記測定値の報告を非アクティブ化することと、
を備える、方法。
［Ｃ１９］
ユーザ機器によるコンポーネントキャリアの使用に関連付けられた少なくとも１つのパラメータを決定することと、
前記コンポーネントキャリアのアクティブ化ステータスに影響を及ぼすために前記少なくとも１つのパラメータを調整することと、
前記調整されたパラメータを基地局にシグナリングすることと、
を備える、ワイヤレス通信の方法。
［Ｃ２０］
前記少なくとも１つのパラメータは、前記コンポーネントキャリアに関連付けられたチャネル品質インジケータまたはランクインジケータを含む、Ｃ１９に記載の方法。
［Ｃ２１］
前記少なくとも１つのパラメータを調整することは、報告されたＣＱＩ値を測定されたＣＱＩ値から変化させることを含む、Ｃ２０に記載の方法。
［Ｃ２２］
一連のステップにおいて前記報告されたＣＱＩ値を変化させることをさらに含む、Ｃ２１に記載の方法。
［Ｃ２３］
前記少なくとも１つのパラメータを調整することは、報告されたＲＩ計測を実際のＲＩ値から変化させることを含む、Ｃ２０に記載の方法。
［Ｃ２４］
ユーザ機器（ＵＥ）において、前記ＵＥの複数の無線周波（ＲＦ）処理チェーンのうちの１つまたは複数を再プロビジョニングすると決定するための手段と、
アクティブ化メッセージを生成するための手段、ここで、前記アクティブ化メッセージが、前記ＵＥのために構成された１つまたは複数の２次セルに関するアクティブ化要求情報を含む、と、
前記アクティブ化メッセージをサービング基地局に送信するための手段と、
を備える、ワイヤレス通信のための装置。
［Ｃ２５］
前記アクティブ化要求情報は、
前記１つまたは複数の２次セルをアクティブ化するための要求と、
前記１つまたは複数の２次セルを非アクティブ化するための要求と、のうちの１つを含む、Ｃ２４に記載の装置。
［Ｃ２６］
再プロビジョニングすると決定するための前記手段は、
前記複数のＲＦ処理チェーンのうちの前記１つまたは複数を他のネットワークに割り振ると決定するための手段と、
他のネットワーク上の呼を終了するための手段と、
前記ＵＥに割り当てられた帯域幅を再割り振りすると決定するための手段と、
前記サービング基地局を用いてキャリアアグリゲーション能力を更新すると決定するための手段と、のうちの１つまたは複数に応答して行われる、Ｃ２４に記載の装置。
［Ｃ２７］
前記アクティブ化メッセージは、メディアアクセス制御（ＭＡＣ）制御要素中に含まれる、Ｃ２４に記載の装置。
［Ｃ２８］
基地局において、ユーザ機器（ＵＥ）からアクティブ化メッセージを受信するための手段、ここで、前記アクティブ化メッセージは、前記ＵＥのために構成された１つまたは複数の２次セルに関するアクティブ化要求情報を含む、と、
前記アクティブ化要求情報に応答して、前記１つまたは複数の２次セルの状態を変更するための手段と、
を備える、ワイヤレス通信のための装置。
［Ｃ２９］
前記アクティブ化要求情報は、
前記１つまたは複数の２次セルをアクティブ化するための要求と、
前記１つまたは複数の２次セルを非アクティブ化するための要求と、のうちの１つを含む、Ｃ２８に記載の装置。
［Ｃ３０］
ユーザ機器（ＵＥ）において、拡張されたキャリアアグリゲーション（ＣＡ）能力報告を生成するための手段、前記拡張されたＣＡ能力報告は、前記ＵＥのＣＡ能力と前記ＵＥのハードウェア制限とを含む、と、
前記拡張された能力報告をサービング基地局に送信するための手段と、
を備える、ワイヤレス通信のための装置。
［Ｃ３１］
前記ハードウェア制限は、
前記ＵＥが異なるアクセス技術の中でサポートすることができるキャリアの総数と、
特定されたキャリアのための異なるアクセス技術の間で共有される複数の無線周波（ＲＦ）処理チェーンのうちの１つまたは複数の識別子と、のうちの少なくとも１つを含む、Ｃ３０に記載の装置。
［Ｃ３２］
第１のアクセスネットワークの基地局において、ユーザ機器（ＵＥ）から拡張されたキャリアアグリゲーション（ＣＡ）能力報告を受信するための手段、ここで、前記拡張されたＣＡ能力報告が前記ＵＥのＣＡ能力と前記ＵＥの１つまたは複数のハードウェア制限とを含む、と、
前記拡張されたＣＡ報告中で前記ＵＥによって報告された前記ＣＡ能力に少なくとも部分的に基づいて、前記ＵＥのための１つまたは複数の２次セルを構成するための手段と、
前記基地局において、指示を受信するための手段、ここで、前記指示が第２のアクセスネットワークと前記ＵＥとの間のサービス開始を示す、と、
前記第２のアクセスネットワークと前記ＵＥとの間のサービスの前記指示子に基づいて、前記１つまたは複数のハードウェア制限のトリガリングを検出するための手段と、
検出されたトリガリングに応答して、前記１つまたは複数の２次セルを非アクティブ化するための手段と、
を備える、ワイヤレス通信のための装置。
［Ｃ３３］
前記指示子は、前記第１のアクセスネットワークから受信される、Ｃ３２に記載の装置。
［Ｃ３４］
前記指示子は、前記第２のアクセスネットワークから受信される、Ｃ３２に記載の装置。
［Ｃ３５］
前記基地局において、第２の指示子を受信するための手段、ここで、前記第２の指示子は、前記第２のアクセスネットワークと前記ＵＥとの間のサービス停止を示す、と、
前記第２の指示子に応答して、前記１つまたは複数の２次セルを再アクティブ化するための手段と、をさらに含む、Ｃ３２に記載の装置。
［Ｃ３６］
前記指示子は、前記第１のアクセスネットワークから受信される、Ｃ３５に記載の装置。
［Ｃ３７］
前記指示子は、前記第２のアクセスネットワークから受信される、Ｃ３５に記載の装置。
［Ｃ３８］
ユーザ機器（ＵＥ）において、前記ＵＥの複数の無線周波（ＲＦ）リソースのうちの１つまたは複数を再構成すると決定するための手段、ここで、1つまたは複数の２次セルは、前記複数のＲＦリソースのうちの前記１つまたは複数に関連付けられて、アクティブ化される、と、
基地局に１つまたは複数の被制御値測定値を送信するための手段、ここで、前記１つまたは複数の被制御値測定値が、前記ＵＥのために構成された前記１つまたは複数の２次セルを変更するように前記基地局をトリガする前記ＵＥによって選択された所定の値を含む、と
を備える、ワイヤレス通信のための装置。
［Ｃ３９］
前記１つまたは複数の被制御値測定値は、
フォールスチャネル品質インジケータ（ＣＱＩ）値と、
０に等しいＣＱＩ値と、
フォールスランクインジケータと、
１に等しいランクインジケータと、のうちの１つを含む、Ｃ３８に記載の装置。
［Ｃ４０］
構成された前記１つまたは複数の２次セルの前記変更は、
前記１つまたは複数の２次セル上の送信を低減するための手段と、
前記１つまたは複数の２次セルを非アクティブ化するための手段と、
前記１つまたは複数の２次セルの多入力多出力（ＭＩＭＯ）能力を非アクティブ化するための手段と、のうちの１つまたは複数を含む、Ｃ３８に記載の装置。
［Ｃ４１］
複数の無線周波（ＲＦ）リソースのうちの１つまたは複数を使用してユーザ機器（ＵＥ）と第１のアクセスネットワークとの間の通信を開始するための手段と、
前記ＵＥにおいて、第２のアクセスネットワーク中のキャリアアグリゲーション（ＣＡ）に関連付けられた１つまたは複数の２次セルの測定値を検出するための手段であって、前記測定値が、前記第２のアクセスネットワークによる前記１つまたは複数の２次セルのアクティブ化をトリガすることになる、と、
前記第２のアクセスネットワークへの前記測定値の報告を非アクティブ化するための手段と、を備える、ワイヤレス通信のための装置。
［Ｃ４２］
ユーザ機器によるコンポーネントキャリアの使用に関連付けられた少なくとも１つのパラメータを決定するための手段と、
前記コンポーネントキャリアのアクティブ化ステータスに影響を及ぼすために前記少なくとも１つのパラメータを調整するための手段と、
前記調整されたパラメータを基地局にシグナリングするための手段と、を備える、ワイヤレス通信の装置。
［Ｃ４３］
前記少なくとも１つのパラメータは、前記コンポーネントキャリアに関連付けられたチャネル品質インジケータまたはランクインジケータを含む、Ｃ４２に記載の装置。
［Ｃ４４］
前記少なくとも１つのパラメータを調整するための手段は、
報告されたＣＱＩ値を測定されたＣＱＩ値から変化させるための手段を含む、Ｃ４３に記載の装置。
［Ｃ４５］
一連のステップにおいて前記報告されたＣＱＩ値を変化させることをさらに含む、Ｃ４４に記載の装置。
［Ｃ４６］
前記少なくとも１つのパラメータを調整することは、報告されたＲＩ計測を実際のＲＩ値から変化させることを含む、Ｃ４３に記載の装置。
［Ｃ４７］
ワイヤレスネットワークにおけるワイヤレス通信のためのコンピュータプログラム製品であって、
プログラムコードを記録した非一時的コンピュータ可読媒体を備え、前記プログラムコードは、
ユーザ機器（ＵＥ）において、前記ＵＥの複数の無線周波（ＲＦ）処理チェーンのうちの１つまたは複数を再プロビジョニングすると決定することと、
アクティブ化メッセージを生成すること、ここで、前記アクティブ化メッセージは、前記ＵＥのために構成された１つまたは複数の２次セルに関するアクティブ化要求情報を含む、と、
前記アクティブ化メッセージをサービング基地局に送信することと、
をコンピュータに行わせるプログラムコードを備える、コンピュータプログラム製品。
［Ｃ４８］
ワイヤレスネットワークにおけるワイヤレス通信のためのコンピュータプログラム製品であって、
プログラムコードを記録した非一時的コンピュータ可読媒体を備え、前記プログラムコードは、
基地局において、ユーザ機器（ＵＥ）からアクティブ化メッセージを受信すること、ここで、前記アクティブ化メッセージが、前記ＵＥのために構成された１つまたは複数の２次セルに関するアクティブ化要求情報を含む、と、
前記アクティブ化要求情報に応答して、前記１つまたは複数の２次セルの状態を変更することと、
をコンピュータに行わせるプログラムコードを備える、コンピュータプログラム製品。
［Ｃ４９］
ワイヤレスネットワークにおけるワイヤレス通信のためのコンピュータプログラム製品であって、
プログラムコードを記録した非一時的コンピュータ可読媒体を備え、前記プログラムコードは、
ユーザ機器（ＵＥ）において、拡張されたキャリアアグリゲーション（ＣＡ）能力報告を生成すること、ここで、前記拡張されたＣＡ能力報告は、前記ＵＥのＣＡ能力と前記ＵＥのハードウェア制限とを含む、と、
前記拡張された能力報告をサービング基地局に送信することと、をコンピュータに行わせるプログラムコードを備える、コンピュータプログラム製品。
［Ｃ５０］
ワイヤレスネットワークにおけるワイヤレス通信のためのコンピュータプログラム製品であって、
プログラムコードを記録した非一時的コンピュータ可読媒体を備え、前記プログラムコードは、
第１のアクセスネットワークの基地局において、ユーザ機器（ＵＥ）から拡張されたキャリアアグリゲーション（ＣＡ）能力報告を受信すること、ここで、前記拡張されたＣＡ能力報告が前記ＵＥのＣＡ能力と前記ＵＥの１つまたは複数のハードウェア制限とを含む、と、
前記拡張されたＣＡ報告中で前記ＵＥによって報告された前記ＣＡ能力に少なくとも部分的に基づいて、前記ＵＥのために１つまたは複数の２次セルを構成することと、
前記基地局において、指示子を受信すること、前記指示子は、第２のアクセスネットワークと前記ＵＥとの間のサービス開始を示す、と、
前記第２のアクセスネットワークと前記ＵＥとの間のサービスの前記指示子に基づいて、前記１つまたは複数のハードウェア制限のトリガリングを検出することと、
検出されたトリガリングに応答して、前記１つまたは複数の２次セルを非アクティブ化することと、をコンピュータに行わせるプログラムコードを備える、コンピュータプログラム製品。
［Ｃ５１］
ワイヤレスネットワークにおけるワイヤレス通信のためのコンピュータプログラム製品であって、
プログラムコードを記録した非一時的コンピュータ可読媒体を備え、前記プログラムコードは、
ユーザ機器（ＵＥ）において、前記ＵＥの複数の無線周波（ＲＦ）リソースのうちの１つまたは複数を再構成すると決定すること、ここで、１つまたは複数の２次セルは、前記複数のＲＦリソースのうちの前記１つまたは複数に関連付けられて、アクティブ化される、と、
基地局に１つまたは複数の被制御値測定値を送信すること、前記１つまたは複数の被制御値測定値が、前記ＵＥのために構成された前記１つまたは複数の２次セルを変更するように前記基地局をトリガする前記ＵＥによって選択された所定の値を含む、と、をコンピュータに行わせるプログラムコードを備える、コンピュータプログラム製品。
［Ｃ５２］
ワイヤレスネットワークにおけるワイヤレス通信のためのコンピュータプログラム製品であって、
プログラムコードを記録した非一時的コンピュータ可読媒体を備え、前記プログラムコードは、
複数の無線周波（ＲＦ）リソースのうちの１つまたは複数を使用してユーザ機器（ＵＥ）と第１のアクセスネットワークとの間の通信を開始することと、
前記ＵＥにおいて、第２のアクセスネットワーク中のキャリアアグリゲーション（ＣＡ）に関連付けられた１つまたは複数の２次セルの測定値を検出すること、ここで、前記測定値が、前記第２のアクセスネットワークによる前記１つまたは複数の２次セルのアクティブ化をトリガすることになる、と、
前記第２のアクセスネットワークへの前記測定値の報告を非アクティブ化することと、をコンピュータに行わせるプログラムコードを備える、コンピュータプログラム製品。
［Ｃ５３］
ワイヤレスネットワークにおけるワイヤレス通信のためのコンピュータプログラム製品であって、
プログラムコードを記録した非一時的コンピュータ可読媒体を備え、前記プログラムコードが、
ユーザ機器によるコンポーネントキャリアの使用に関連付けられた少なくとも１つのパラメータを決定することと、
前記コンポーネントキャリアのアクティブ化ステータスに影響を及ぼすために前記少なくとも１つのパラメータを調整することと、
前記調整されたパラメータを基地局にシグナリングすることと、をコンピュータに行わせるプログラムコードを備える、コンピュータプログラム製品。
［Ｃ５４］
ワイヤレス通信のために構成された装置であって、前記装置が、
少なくとも１つのプロセッサと、
前記少なくとも１つのプロセッサに結合されたメモリと、を備え、
前記少なくとも１つのプロセッサは、
ユーザ機器（ＵＥ）において、前記ＵＥの複数の無線周波（ＲＦ）処理チェーンのうちの１つまたは複数を再プロビジョニングすると決定することと、
アクティブ化メッセージを生成すること、ここで、前記アクティブ化メッセージは、前記ＵＥのために構成された１つまたは複数の２次セルに関するアクティブ化要求情報を含む、と、
前記アクティブ化メッセージをサービング基地局に送信することと、を行うように構成された、装置。
［Ｃ５５］
ワイヤレス通信のために構成された装置であって、前記装置は、
少なくとも１つのプロセッサと、
前記少なくとも１つのプロセッサに結合されたメモリと、を備え、
前記少なくとも１つのプロセッサは、
基地局において、ユーザ機器（ＵＥ）からアクティブ化メッセージを受信すること、ここで、前記アクティブ化メッセージは、前記ＵＥのために構成された１つまたは複数の２次セルに関するアクティブ化要求情報を含む、と、
前記アクティブ化要求情報に応答して、前記１つまたは複数の２次セルの状態を変更することと、を行うように構成された、装置。
［Ｃ５６］
ワイヤレス通信のために構成された装置であって、前記装置は、
少なくとも１つのプロセッサと、
前記少なくとも１つのプロセッサに結合されたメモリと、を備え、
前記少なくとも１つのプロセッサは、
ユーザ機器（ＵＥ）において、拡張されたキャリアアグリゲーション（ＣＡ）能力報告を生成することであって、前記拡張されたＣＡ能力報告が前記ＵＥのＣＡ能力と前記ＵＥのハードウェア制限とを含む、と、
前記拡張された能力報告をサービング基地局に送信することと、を行うように構成された、装置。
［Ｃ５７］
ワイヤレス通信のために構成された装置であって、前記装置が、
少なくとも１つのプロセッサと、
前記少なくとも１つのプロセッサに結合されたメモリと、を備え、
前記少なくとも１つのプロセッサは、
第１のアクセスネットワークの基地局において、ユーザ機器（ＵＥ）から拡張されたキャリアアグリゲーション（ＣＡ）能力報告を受信すること、ここで、前記拡張されたＣＡ能力報告は、前記ＵＥのＣＡ能力と前記ＵＥの１つまたは複数のハードウェア制限とを含む、と、
前記拡張されたＣＡ報告中で前記ＵＥによって報告された前記ＣＡ能力に少なくとも部分的に基づいて、前記ＵＥのための１つまたは複数の２次セルを構成することと、
前記基地局において、指示子を受信することであって、ここで、前記指示子は、第２のアクセスネットワークと前記ＵＥとの間のサービス開始を示す、と、
前記第２のアクセスネットワークと前記ＵＥとの間のサービスの前記指示子に基づいて、前記１つまたは複数のハードウェア制限のトリガリングを検出することと、
検出されたトリガリングに応答して、前記１つまたは複数の２次セルを非アクティブ化することと、を行うように構成された、装置。
［Ｃ５８］
ワイヤレス通信のために構成された装置であって、前記装置は、
少なくとも１つのプロセッサと、
前記少なくとも１つのプロセッサに結合されたメモリと、を備え、
前記少なくとも１つのプロセッサは、
ユーザ機器（ＵＥ）において、前記ＵＥの複数の無線周波（ＲＦ）リソースのうちの１つまたは複数を再構成すると決定すること、ここで、１つまたは複数の２次セルは、前記複数のＲＦリソースのうちの前記１つまたは複数に関連付けられて、アクティブ化される、と、
基地局に１つまたは複数の被制御値測定値を送信すること、ここで、前記１つまたは複数の被制御値測定値は、前記ＵＥのために構成された前記１つまたは複数の２次セルを変更するように前記基地局をトリガする前記ＵＥによって選択された所定の値を含む、と、を行うように構成された、装置。
［Ｃ５９］
ワイヤレス通信のために構成された装置であって、前記装置は、
少なくとも１つのプロセッサと、
前記少なくとも１つのプロセッサに結合されたメモリと、を備え、
前記少なくとも１つのプロセッサは、
複数の無線周波（ＲＦ）リソースのうちの１つまたは複数を使用してユーザ機器（ＵＥ）と第１のアクセスネットワークとの間の通信を開始することと、
前記ＵＥにおいて、第２のアクセスネットワーク中のキャリアアグリゲーション（ＣＡ）に関連付けられた１つまたは複数の２次セルの測定値を検出すること、ここで、前記測定値は、前記第２のアクセスネットワークによる前記１つまたは複数の２次セルのアクティブ化をトリガすることになる、と、
前記第２のアクセスネットワークへの前記測定値の報告を非アクティブ化することと、を行うように構成された、装置。
［Ｃ６０］
ワイヤレス通信のために構成された装置であって、前記装置は、
少なくとも１つのプロセッサと、
前記少なくとも１つのプロセッサに結合されたメモリと、を備え、
前記少なくとも１つのプロセッサは、
ユーザ機器によるコンポーネントキャリアの使用に関連付けられた少なくとも１つのパラメータを決定することと、
前記コンポーネントキャリアのアクティブ化ステータスに影響を及ぼすために前記少なくとも１つのパラメータを調整することと、
前記調整されたパラメータを基地局にシグナリングすることと、を行うように構成された、装置。